(57)【特許請求の範囲】
【請求項１】
少なくとも２条のスカートを有するオイルフェンスを設け、かつ該オイルフェンス間に間隔を設け、該間隔部の長手方向にスペーサーを設けて区画部を設けたことを特徴とする漏洩防止機能を有する多重オイルフェンス。
【発明の詳細な説明】
【技術分野】
【０００１】
本発明は、石油類が漏洩・流出した場合に拡散を防止するために使用するオイルフェンスに関する。
【背景技術】
【０００２】
従来、事故等により石油類が河川、湖沼、海などの水面上に漏洩流出した場合、その拡散を防止するために水域にオイルフェンスを展張していた。
そしてオイルフェンスは、一条を単独で使用するのが一般的であるが、この場合流体抵抗からフェンスのスカートが流れによっては吹き上がって、油を確保するための形状保持ができない欠点があった。また、特殊な場合多重展張する場合があった。しかしながら多重展張した場合、オイルフェンス間に間隔が保持できず、実質的に一条展張の場合と変わらない状態であった。
【発明の概要】
【発明が解決しようとする課題】
【０００３】
従って従来から流れのある水面上にオイルフェンスを展張したときでも石油類の漏洩がなく、かつ多重展張した場合多量に流出した石油類を集油貯留できるオイルフェンスが求められていた。
【課題を解決するための手段】
【０００４】
そこで本発明者は、種々研究を重ねた結果、少なくとも２条のオイルフェンスを、該オイルフェンス間に間隔を設け、かつ該間隔部の長手方向にスペーサーを設けて区画部を設けてなる、漏洩防止機能を有する多重オイルフェンスを完成するに至った。
【発明の効果】
【０００５】
本発明によれば、多重オイルフェンス間に複数の区画部を設けることによって、２条目以降のオイルフェンスにバックウオーター作用が働く結果、区画部内を静穏な状況に保持することができるので、該区画部が石油類の貯留部となり大量の流出油（石油類）を保持することができ、かつ、オイルフェンスの下端部より流出油の漏洩も防止することができる。
【図面の簡単な説明】
【０００６】
【図１】流れのある水中にオイルフェンスを２条展張した場合の平面図である。
【図２】本発明の多重オイルフェンスを示す平面図である。
【図３】スペーサーを示す正面図である。
【図４】スペーサーの端部を示す正面図である。
【図５】係止金具を示す正面図である。
【図６】他の態様のスペーサーを示す正面図である。
【図７】他の態様のスペーサーを示す斜視図である。
【図８】本発明の多重オイルフェンスを流れのある水中に展張した場合の平面図である。
【図９】本発明の多重オイルフェンスで風船型の集油部を有する展張方法を示す平面図である。
【図１０】本発明の多重オイルフェンスで半風船型の集油部を有する展張方法を示す平面図である。
【図１１】本発明の多重オイルフェンスでＹ連続型の集油部を有する展張方法を示す平面図である。
【発明を実施するための形態】
【０００７】
図１は流れのある水中に従来のようにオイルフェンスを２条展張した場合の平面図である。従来はオイルフェンス１とオイルフェンス２を間隔を設けて設置しても水流によってオイルフェンス１とオイルフェンス２が接近し、実質的に２重展張した目的が達成されなかった。このような場合オイルフェンス１の油溜部３に集油される油の一部がオイルフェンス１の下縁部から漏出し、後方に展張したオイルフェンス２の油溜部４の一個所に集油されていた。しかしながらこのオイルフェンス２の油溜部４のスペースは限られて居るため、いったん集められた油はオイルフェンス２の下縁部から漏洩してしまい、完全な油回収は不可能であった。
本発明は、図２に示すようにオイルフェンス５とオイルフェンス６との間に間隔部７を設け、該間隔部７にフロート８を有するスペーサー９の両端部をそれぞれ近接するオイルフェンスに固着することによって区画部１０を設けることができる。
【０００８】
本発明に使用するスペーサー９は、図３に示すように、フロート８を基布１１で覆い、縁部１２を縫製等により固定する。またフロート８を固定するためにフロート８の両サイド部分も縫製等により封着する。またスペーサー９は、横幅の長さによって任意の数のフロート８を設けることができる。
このように構成されたスペーサー９は、その両端部１３、１４を対向するオイルフェンスのフロートとフロートの間に縫製等により一体として固着する。このスペーサー９を設置場所の状況を考慮して適宜の間隔で多重展張することによって本発明のオイルフェンスを構成することができる。
【０００９】
また本発明のスペーサー９は図４に示すようにその両端部１３、１４（図面では一方のみ表示）を折り返して袋状１５とし、折り返した縁部１６を縫製等により封止することによって、スペーサー９の両端部に係止金具１７を挿入する挿入口１８を設けることができる。
そしてスペーサー９をオイルフェンスに一体化するために用いられる係止金具１７としては、例えば図５に示すようなピン状のものとし、ストレート部分をスペーサー９の上部及び下部から挿入口１８に差し込み、同時にオイルフェンスのフロート間の部位に挟み込む。
【００１０】
また、スペーサー９の他の態様としては、図６に示すように、平板状のフロートＦを二つ折にした基布で覆い三方を縫製する等してスペーサー９を構成し、かつこのスペーサー９には、その両端部より内側に間隔を設けて縦方向に縫製したり、両端部１３、１４を折り返して袋状として封止することによって挿入口１８を設け、偏平状のスペーサー９とすることができる。この偏平状フロートを用いたスペーサー９は、収納等をする場合にも嵩張らないので好適である。
さらに図７に示すようなプラスチックケース１９に係止部２０を設けると共に両端部に係止金具１７を挿通保持する指示部２１を設け、このようなプラスチックケース型のスペーサー９の内部に平板状のフロートＦを収納し、閉鎖した後係止部２０を固定することによってプラスチックケースケース型スペーサー９を調製することができる。
【００１１】
前記のようなオイルフェンスに着脱可能なスペーサー９を用いることによって例えば図８に示すような構造の多重オイルフェンスとすることができる。
さらに本発明の多重オイルフェンスを用いて図９に示すような風船型の集油部を有する展張方法や図１０に示すような半風船型の集油部を有する展張方法あるいは図１１に示すようなＹ連続型の集油部を有する展張方法として用いることができる。前記風船型の集油部を有する展張方法として、風船型両端部２２、２３をネット体２４等で固定することで、風船型形状を作ることができる。風船型は集油部を大きくとることができる。
本発明は、特に着脱可能なスペーサー９を用いることによって任意の数の区画部を設けることができるので流出した油量に応じてこの区画部を適宜の数に設定することができる。
【００１２】
本発明のスペーサー９に使用する素材としては、ナイロン基布、ポリエステル基布、塩化ビニルコーティングしたナイロン基布等の種々の基布が用いられる他、クロロプレンゴムシート、合成樹脂製シート、合成樹脂製成型体などを用いることができる。
【符号の説明】
【００１３】
７・・・間隔部
９・・・スペーサー
１７・・・係止金具
１８・・・挿入口
【図１】
0006731591.tif 000002
【図２】
0006731591.tif 000003
【図３】
0006731591.tif 000004
【図４】
0006731591.tif 000005
【図５】
0006731591.tif 000006
【図６】
0006731591.tif 000007
【図７】
0006731591.tif 000008
【図８】
0006731591.tif 000009
【図９】
0006731591.tif 000010
【図１０】
0006731591.tif 000011
【図１１】
0006731591.tif 000012